(57)【要約】【課題】本発明は、メンテナンス性の高い燃料電池システムの配置構造を提供することを目的とする。【解決手段】建物１１０に沿った長さ方向Ｎに延在する通路９０に設置され、メンテナンスが行われるメンテナンス面１２ｂが前記長さ方向Ｎの端部に位置するように配置された燃料電池ユニット１２と、該燃料電池ユニット１２に配管を介して接続され、メンテナンスが行われるメンテナンス面１８ｃが前記長さ方向Ｎと交差する交差方向Ｋに位置するとともに前記燃料電池ユニット１２に対して前記長さ方向Ｎに離れて配置された給湯器ユニット１４と、を備えている。【選択図】図３
2018181590.tif 000002
【特許請求の範囲】
【請求項１】
建物に沿った長さ方向に延在するスペースに設置され、メンテナンスが行われるメンテナンス面が前記長さ方向の端部に位置するように配置された燃料電池ユニットと、
該燃料電池ユニットに配管を介して接続され、メンテナンスが行われるメンテナンス面が前記長さ方向と交差する交差方向に位置するとともに前記燃料電池ユニットに対して前記長さ方向に離れて配置された給湯器ユニットと、
を備えた燃料電池システムの配置構造。
【請求項２】
前記燃料電池ユニットは、メンテナンス面が前記給湯器ユニット側に位置するように配置されている請求項１記載の燃料電池システムの配置構造。
【請求項３】
前記燃料電池ユニットは、メンテナンス面が前記給湯器ユニットと反対側に位置するように配置されている請求項１記載の燃料電池システムの配置構造。
【請求項４】
前記給湯器ユニットは、排気用の排気部がメンテナンス面に設けられている請求項１から請求項３のいずれかに記載の燃料電池システムの配置構造。
【発明の詳細な説明】
【技術分野】
【０００１】
本発明は、燃料電池システムの配置構造に関する。
【背景技術】
【０００２】
従来、水素と酸素との化学的反応を利用して発電する燃料電池システムが知られている（例えば、特許文献１参照）。
【０００３】
この燃料電池システムは、燃料電池ユニットと蓄熱ユニットとを備えている。燃料電池ユニットと蓄熱ユニットとは、燃料電池ユニットの改質器からの改質器排ガスの排出方向と、蓄熱ユニットの加熱装置からの加熱装置排ガスの排出方向とが向かい合うように配置されており、両者は、架台に固定され一体化されている。
【０００４】
燃料電池ユニットと蓄熱ユニットとは、所定の離間距離をおいて配置されており、その離間距離は、排気空間およびメンテナンススペースを確保できる距離とされている。
【先行技術文献】
【特許文献】
【０００５】
【特許文献１】特開２００８−２６２８４９号公報
【発明の概要】
【発明が解決しようとする課題】
【０００６】
しかしながら、このような燃料電池システムの配置構造にあっては、架台で一体化された燃料電池ユニットと蓄熱ユニットとの間がメンテナンススペースとされているため、保守点検作業性（以下メンテナンス性という）が悪いという問題があった。
【０００７】
本発明は、このような事情に鑑みてなされたものであり、メンテナンス性の高い燃料電池システムの配置構造を提供することを目的とする。
【課題を解決するための手段】
【０００８】
第一態様では、建物に沿った長さ方向に延在するスペースに設置され、メンテナンスが行われるメンテナンス面が前記長さ方向の端部に位置するように配置された燃料電池ユニットと、該燃料電池ユニットに配管を介して接続され、メンテナンスが行われるメンテナンス面が前記長さ方向と交差する交差方向に位置するとともに前記燃料電池ユニットに対して前記長さ方向に離れて配置された給湯器ユニットと、を備えている。
【０００９】
すなわち、燃料電池ユニットは、設置されたスペースの長さ方向にメンテナンス面が設けられている。このため、スペースの長さ方向から燃料電池ユニットのメンテナンス面にアクセスすることで、燃料電池ユニットのメンテナンス（保守点検）が可能となる。
【００１０】
また、給湯器ユニットは、設置されるスペースの長さ方向と交差する交差方向にメンテナンス面が設けられている。このため、この交差方向から給湯器ユニットのメンテナンス面にアクセスすることで、給湯器ユニットのメンテナンスが可能となる。
【００１１】
第二態様では、前記燃料電池ユニットは、メンテナンス面が前記給湯器ユニット側に位置するように配置されている。
【００１２】
すなわち、燃料電池ユニットのメンテナンス面は、給湯器ユニット側に設けられており、給湯器ユニット側から燃料電池ユニットのメンテナンス面にアクセスすることができる。
【００１３】
このため、燃料電池ユニットのメンテナンス面へのアクセス方向と、給湯器ユニット側のメンテナンス面へのアクセス方向とが異なる方向に設定された場合と比較して、両者のメンテナンス作業性が向上する。
【００１４】
第三態様では、前記燃料電池ユニットは、メンテナンス面が前記給湯器ユニットと反対側に位置するように配置されている。
【００１５】
すなわち、燃料電池ユニットのメンテナンス面は、給湯器ユニットと反対側に設けられており、給湯器ユニットと反対側から燃料電池ユニットのメンテナンス面にアクセスすることができる。
【００１６】
第四態様では、前記給湯器ユニットは、排気用の排気部がメンテナンス面に設けられている。
【００１７】
すなわち、給湯器ユニットは、排気部がメンテナンス面に設けられている。このため、内部のメンテナンスと排気部のメンテナンスとを同方向から行うことができる。
【発明の効果】
【００１８】
第一態様の燃料電池システムの配置構造により、メンテナンス性の向上を図ることができる。
【図面の簡単な説明】
【００１９】
【図１】本発明の第一実施形態に係る燃料電池システムの配置構造が適用される燃料電池システムを示す斜視図である。
【図２】同実施形態の燃料電池システムを示すブロック図である。
【図３】同実施形態の燃料電池システムの配置構造を示す平面図である。
【図４】図３のＡ矢視図である。
【図５】本発明の第二実施形態に係る燃料電池システムの配置構造を示す平面図である。
【発明を実施するための形態】
【００２０】
（第一実施形態）
以下、本実施形態に係る燃料電池システムの配置構造を図１〜図４を参照しつつ説明する。
【００２１】
この燃料電池システム１０は、図１に示したように、燃料ガス及び水を用いて発電を行う燃料電池ユニット１２と、燃料電池ユニット１２で加熱された上水を目的の温度まで加熱する給湯器ユニット１４とを備えている。
【００２２】
燃料電池ユニット１２の筐体１２ａは、奥行寸法より幅寸法が長い直方体形状に形成されている。長手方向ＮＨに位置する左側面１２ｅから右側面１２ｆまでの幅寸法をＷ１、底面１２ｇから天面１２ｈまでの高さ寸法をＨ１、短手方向ＴＨに位置する正面１２ｄから背面１２ｃまでの奥行寸法をＤ１とすると、奥行寸法Ｄ１より幅寸法Ｗ１が長い（Ｄ１＜Ｗ１）。
【００２３】
なお、燃料電池ユニット１２の正面１２ｄ及び背面１２ｃは、説明の都合上付した名称であり、表面の意匠性の違いや設置状態での向きを限定するものではない。また、燃料電池ユニット１２の左側面１２ｅ及び右側面１２ｆも、説明の都合上付した名称であり、表面の意匠性の違いや設置状態での向きを限定するものではない。
【００２４】
筐体１２ａの右側面１２ｆは、燃料電池側メンテナンス面１２ｂを構成している。ここで、メンテナンス面とは、保守点検を行う際にその一部または全部が開放される面を言う。燃料電池側メンテナンス面１２ｂは、例えばフレームにヒンジを介して固定された扉構造や、周縁部がネジで固定された取り外し可能なパネル構造が挙げられる。これにより、燃料電池側メンテナンス面１２ｂを開放することで、燃料電池ユニット１２内部のメンテナンスが行える。
【００２５】
この燃料電池側メンテナンス面１２ｂには、排気部の一例である排気口１３が設けられている。また、燃料電池側メンテナンス面１２ｂには、配管および配線の接続作業を行うための配管・配線部１２ｉが設けられており、燃料電池ユニット１２に接続された配管や配線類が延出するように構成されている。なお、このようなメンテナンス面を、追加的に例えば天面１２ｈ、背面１２ｃ、正面１２ｄに設定しても良い。
【００２６】
給湯器ユニット１４は、高さ寸法が横幅や奥行寸法より長い直方体形状に形成されており、下側を構成する下部構成部１６と、上側を構成する給湯器本体１８と備えている。下部構成部１６としては、一例として据置台が挙げられる。
【００２７】
ここで、本実施形態では、給湯器本体１８の下部に据置台等の下部構成部１６を設けて給湯器本体１８を設置する場合について説明するが、これに限定されるものではない。例えば、給湯器本体１８を建物壁に据え付ける壁掛けタイプの場合、据置台等の下部構成部１６は不要となる。
【００２８】
下部構成部１６及び給湯器本体１８からなる給湯器ユニット１４の筐体１４ａは、左側面１４ｅから右側面１４ｆまでの幅寸法をＷ２、底面１４ｇから天面１４ｈまでの高さ寸法をＨ２、正面１４ｄから背面１４ｃまでの奥行寸法をＤ２とすると、高さ寸法Ｈ２は、幅寸法Ｗ２や奥行寸法Ｄ２より長い（Ｈ２＞Ｗ２、Ｈ２＞Ｄ２）。
【００２９】
なお、給湯器ユニット１４の正面１４ｄ及び背面１４ｃは、説明の都合上付した名称であり、表面の意匠性の違いや設置状態での向きを限定するものではない。また、給湯器ユニット１４の左側面１４ｅ及び右側面１４ｆも、説明の都合上付した名称であり、表面の意匠性の違いや設置状態での向きを限定するものではない。
【００３０】
給湯器本体１８の筐体１８ａの正面（給湯器ユニット１４の正面１４ｄの上部）は、給湯器側メンテナンス面１８ｃを構成しており、給湯器側メンテナンス面１８ｃは、例えばフレームにヒンジを介して固定された扉構造や、周縁部がネジで固定された取り外し可能なパネル構造が挙げられる。これにより、給湯器側メンテナンス面１８ｃを開放することで、給湯器本体１８内部のメンテナンスが行える。
【００３１】
この給湯器側メンテナンス面１８ｃの上部には、排気部の一例である排気口１９が幅方向の中央部に設けられており、燃焼時の排気が排気口１９から行われる。
【００３２】
また、下部構成部１６の筐体１６ａの正面（給湯器ユニット１４の正面１４ｄの下部）も、例えばメンテナンス面１６ｃを構成しており、このメンテナンス面１６ｃは、例えばフレームにヒンジを介して固定された扉構造や、周縁部がネジで固定された取り外し可能なパネル構造が挙げられる。これにより、メンテナンス面１６ｃを開放することで、例えば給湯器本体１８に接続された配管および配線等のメンテナンスが行える。
【００３３】
そして、給湯器ユニット１４の奥行寸法Ｄ２は、燃料電池ユニット１２の奥行寸法Ｄ１より短く設定されている。ここで、この給湯器ユニット１４としては、外形寸法がそれぞれ異なる標準タイプやスリムタイプやコンパクトタイプが用意されており、どのタイプの給湯器ユニット１４を利用しても良い。
【００３４】
燃料電池システム１０の燃料電池ユニット１２は、図２に示すように、発電を行う燃料電池モジュール２０を備えている。燃料電池モジュール２０は、ガス供給路２１を介して、ガス継手２２に接続されており、ガス継手２２には、ガス管２４が接続されている。ガス管２４からは炭化水素原料の一例であるメタンを主成分とする都市ガスまたはプロパン・ブタンを主成分に持つ液化石油ガスが燃料として供給される。ガス供給路２１には、脱硫部２６が設けられており、供給されるガスに含まれた硫黄分や硫黄化合物が脱硫部２６で除去されて燃料電池モジュール２０に供給される。なお、図２には、都市ガスを用いた場合が一例として挙げられている。
【００３５】
また、燃料電池モジュール２０は、供給ポンプ２８を有する改質水流入路３０を介して改質水タンク３２に接続されており、燃料電池モジュール２０には、改質水タンク３２に貯留された改質水が供給ポンプ２８で供給される。この燃料電池モジュール２０は、都市ガスまたは液化石油ガスと改質水とを改質反応させて水素等を生成する図外の改質器を備えている。
【００３６】
この燃料電池モジュール２０は、改質器で生成した水素とブロア２０ａで送られた空気中の酸素を利用して発電を行う図示しない発電部を備えている。燃料電池モジュール２０の発電部からの直流電力は、インバーター回路３８によって交流電力に変換された後、接続端子４０に接続された電源コード９２を介して外部へ供給される。
【００３７】
燃料電池モジュール２０には、改質や発電でガスを利用する際に発生した排ガスを排出する排出路３４が接続されている。排出路３４には、排気熱交換機３６が設けられており、排気熱交換機３６より下流側が改質水タンク３２に接続されている。燃料電池モジュール２０からの燃焼排ガスは、排気熱交換機３６で冷却され、含有した水蒸気が凝縮される。これにより、燃焼排ガスは、液体と気体とに分けられ、液体は改質水タンク３２へ送られて改質水として再利用される。また、気体は、図１に示したように、燃料電池側メンテナンス面１２ｂの排気口１３より排気される。
【００３８】
排気熱交換機３６には、供給路４２が接続されている。供給路４２には、熱回収ポンプ４４及びラジエータ４６が設けられており、供給路４２は、ラジエータ４６の上流側が貯湯タンク４８に接続されている。貯湯タンク４８には、伝熱媒体５０が貯留されており、伝熱媒体５０としては、一例として水が使用されている。
【００３９】
この供給路４２は、貯湯タンク４８の下部に接続されており、貯湯タンク４８の下部に貯留した伝熱媒体５０が優先的に排気熱交換機３６へ送られる。貯湯タンク４８から供給路４２に供給された伝熱媒体５０は、ラジエータ４６で冷却された後、熱回収ポンプ４４によって排気熱交換機３６へ送られる。なお、ラジエータ４６は、図示しないラジエータファンを備えており、供給される伝熱媒体５０が高温の際など必要に応じてファンモータを作動する。
【００４０】
排気熱交換機３６には、排出路５２が接続されており、排気熱交換機３６を通過した伝熱媒体５０は、排出路５２を介して貯湯タンク４８に戻される。排出路５２は、貯湯タンク４８の上部に接続されている。燃料電池モジュール２０からの燃焼排ガスの熱は、排気熱交換機３６によって伝熱媒体５０へ移動され、この熱で加熱された伝熱媒体５０は、貯湯タンク４８の上部に戻される。
【００４１】
貯湯タンク４８に貯留された伝熱媒体５０は、上水熱交換器５４及び加熱ポンプ５６を有した循環路５８を介して貯湯タンク４８へ戻される。加熱ポンプ５６は、貯湯タンク４８の伝熱媒体５０で上水を加熱する際に作動する。
【００４２】
循環路５８の上流側は、貯湯タンク４８の上部に接続されており、貯湯タンク４８の上部に貯留された伝熱媒体５０が優先的に上水熱交換器５４へ供給される。循環路５８の下流側は、貯湯タンク４８の下部に接続されており、上水熱交換器５４で熱が奪われた伝熱媒体５０は、貯湯タンク４８の下部側に戻される。
【００４３】
上水熱交換器５４には、流入側分岐点６０ａを有する流入路６０が接続されている。流入路６０は、入側管継手６２に接続されている。入側管継手６２は、例えば水道管の給水管６４に接続されており、流入路６０には、上水が供給される。
【００４４】
上水熱交換器５４には、流出路６６が接続されている。流出路６６には、流出側分岐点６６ａが設けられており、流出側分岐点６６ａには、補水弁６８を有した補水路７０が接続されている。補水路７０は、貯湯タンク４８の上部に接続されており、補水弁６８を開作動することで、上水熱交換器５４からの上水を伝熱媒体５０として貯湯タンク４８の上部から供給することができる。
【００４５】
流出路６６の流出側分岐点６６ａの下流には、混合弁７２が設けられている。混合弁７２は、バイパス路７４を介して流入側分岐点６０ａに接続されている。混合弁７２は、流入路６０からの上水と上水熱交換器５４からの上水とを混合する弁であり、例えば流出温が予め定められた設定温度となるように、流入路６０からの上水と上水熱交換器５４からの上水との混合比を調整する。
【００４６】
流出路６６の混合弁７２より下流側は、出側継手７６が接続されており、出側継手７６は、出湯管７８を介して、給湯器ユニット１４の入水継手８０に接続されている。
【００４７】
給湯器ユニット１４のガス継手８２には、ガス管２４が接続されており、給湯器ユニット１４には、ガス管２４から都市ガスまたはプロパン・ブタンを主成分に持つ液化石油ガスが供給される。また、給湯器ユニット１４の給湯継手８４には、給湯管８６が接続されている。この給湯器ユニット１４は、都市ガスまたはプロパン・ブタンを主成分に持つ液化石油ガスを燃焼することで、入水継手８０より供給された上水を、図外のリモコンで設定された温度まで加熱し給湯管８６によって供給する。
【００４８】
なお、本実施形態では、燃料電池ユニット１２からのガス管２４と給湯器ユニット１４からのガス管２４とを互いに接続してガス供給源に接続する場合について説明したが、これに限定されるものではない。燃料電池ユニット１２からのガス管２４と給湯器ユニット１４からのガス管２４とを、それぞれ独立してガス供給源に接続してもよい。
【００４９】
図３及び図４は、燃料電池システム１０の配置構造を示す図であり、燃料電池システム１０が建物１１０に沿った長さ方向Ｎに延在するスペースに設置された状態が示されている。
【００５０】
隣接する敷地の境界を示す隣地境界線から建物１１０までの最小距離は、隣地境界線から建物１１０の外壁１１０ａまでの離間距離を定める法律（境界線付近の建物の制限：民法２３４条）によって定められている。これにより、建物１１０と隣地境界線との間には、建物１１０に沿って延在するスペースにより通路９０が形成され、この通路９０に燃料電池システム１０が設置されている。
【００５１】
通路９０は、建物１１０側の一側縁９０ａから隣地境界線を構成する他側縁９０ｂまでの通路幅ＴＷが第一幅寸法ＴＷ１とされている。この通路９０には、一般部９０ｃより幅広の幅広部９０ｄが部分的に形成されており、幅広部９０ｄは、第一幅寸法ＴＷ１より広い第二幅寸法ＴＷ２とされている。
【００５２】
なお、本実施形態では、通路９０に、一般部９０ｃより幅広の幅広部９０ｄが部分的に形成され、幅広部９０ｄの第二幅寸法ＴＷ２が一般部９０ｃの第一幅寸法ＴＷ１より広い場合を例に挙げて説明するが、これに限定されるものではない。例えば、通路９０の通路幅ＴＷが広ければ、通路９０に幅広部９０ｄが部分的に形成されていなくても（ＴＷ１＝ＴＷ２）、給湯器側メンテナンス面１８ｃが通路９０の長さ方向Ｎと交差する交差方向Ｋを向くように給湯器ユニット１４を配置することができる。
【００５３】
この通路９０の長さ方向Ｎの一方Ｉ側の一般部９０ｃには、燃料電池ユニット１２が設置されており、その燃料電池側メンテナンス面１２ｂが長さ方向Ｎの他方Ｔ側に位置するように配置されている。これにより、燃料電池側メンテナンス面１２ｂに設けられた排気口１３からの排気方向ＨＨ１が長さ方向Ｎの他方Ｔ側とされている。
【００５４】
なお、燃料電池ユニット１２の排気口１３に排気方向を変更する排気偏向アダプタを設け、燃料電池ユニット１２からの排気方向を正面１２ｄ側として幅広部９０ｄの空き空間側へ排気してもよい。また、燃料電池ユニット１２の排気口１３に排気偏向アダプタを設け、燃料電池ユニット１２からの排気方向を天面１２ｈ側として上方へ排気してもよい。
【００５５】
また、燃料電池ユニット１２は、燃料電池側メンテナンス面１２ｂが通路９０の一般部９０ｃと幅広部９０ｄとの境又は近傍に位置するように配置されている。これにより、幅広部９０ｄ側から燃料電池側メンテナンス面１２ｂの開閉や、内部のメンテナンスを行えるように構成されている。そして、燃料電池ユニット１２は、背面１２ｃが建物１１０側である一側縁９０ａ側に位置するように配置されている。
【００５６】
燃料電池ユニット１２より通路９０の長さ方向Ｎの他方Ｔ側へ離れた位置には、給湯器ユニット１４が配置されており、給湯器ユニット１４は、通路９０の幅広部９０ｄに設置されている。これにより、燃料電池ユニット１２の燃料電池側メンテナンス面１２ｂは、給湯器ユニット１４側に位置する。
【００５７】
この給湯器ユニット１４は、正面１４ｄを構成する給湯器本体１８の給湯器側メンテナンス面１８ｃ及び下部構成部１６のメンテナンス面１６ｃが隣地境界線側である通路９０の他側縁９０ｂ側を向くように配置されている。
【００５８】
これにより、給湯器本体１８の給湯器側メンテナンス面１８ｃ及び下部構成部１６のメンテナンス面１６ｃが、通路９０の長さ方向Ｎと交差する交差方向Ｋであって幅広部９０ｄの空き空間側を向くように設定されている。また、給湯器側メンテナンス面１８ｃに設けられた排気口１９からの排気方向ＨＨ２も、交差方向Ｋであって幅広部９０ｄの空き空間側となるように設定されている。ここで、本実施形態では、交差方向Ｋが長さ方向Ｎに対して直交する場合を例に挙げて示したが、これに限定されるものではなく、交差方向Ｋは長さ方向Ｎに対して交差していればよい。
【００５９】
なお、給湯器ユニット１４の排気口１９に排気方向を変更する排気偏向アダプタを設け、給湯器ユニット１４からの排気方向を通路９０の長さ方向Ｎの一方Ｉ側や、通路９０の長さ方向Ｎの他方Ｔ側や、上方としてもよい。
【００６０】
燃料電池ユニット１２の燃料電池側メンテナンス面１２ｂ側からは、ガス管２４と出湯管７８と給水管６４が延出している。各管２４、６４、７８は、燃料電池ユニット１２の右側面１２ｆにおける通路９０の一側縁９０ａ側から延出しており、通路９０の一側縁９０ａに沿って配索されている。
【００６１】
給水管６４は、水道管の配水管に接続されており、ガス管２４は、給湯器ユニット１４の左側面１４ｅに接続されるとともに、ガス本管に接続されている。また、出湯管７８は、給湯器ユニット１４の左側面１４ｅに接続されている。
【００６２】
燃料電池ユニット１２の燃料電池側メンテナンス面１２ｂ側からは、燃料電池ユニット１２へ給電を行う給電線や燃料電池ユニット１２で発電した電力を供給する供給線を有した電源コード９２が延出している。この給電線や供給線は、同一の線で共用しても良い。また、燃料電池側メンテナンス面１２ｂからは、例えば電流監視線やリモコン線や停電時発電コンセントや給湯器ユニット１４に接続される電源線等も延出する場合がある。
【００６３】
電源コード９２は、通路９０の一側縁９０ａ側から延出しており、通路９０の一側縁９０ａに沿って配索されている。この電源コード９２は、通路９０の一側縁９０ａ側に設けられた配電盤９４に接続されており、この配電盤９４を介して商用電源に接続されている。
【００６４】
なお、本実施形態では、配電盤９４を燃料電池ユニット１２と給湯器ユニット１４との間に設けた場合を例に挙げて説明したが、これに限定されるものではない。配電盤９４は、作業者がアクセスしてメンテナンスすることができれば、例えば燃料電池ユニット１２の一方Ｉ側や、燃料電池ユニット１２の裏側や、給湯器本体１８の裏側や、給湯器本体１８より他方Ｔ側に設けても良い。
【００６５】
給湯器ユニット１４からは、給湯管８６が背面１４ｃ側から延出しており、給湯管８６は、建物１１０内でお湯が利用される箇所へ配索されている。また、給湯器ユニット１４からは、電源コード９６が背面１４ｃ側から延出しており、電源コード９６は、商用電源に接続されている。なお、この電源コード９６は、商用電源に代えて燃料電池ユニット１２に接続しても良い。
【００６６】
次に、本実施形態の作用及び効果について説明する。
【００６７】
本実施形態にあっては、燃料電池ユニット１２と給湯器ユニット１４とは、固定されておらず、それぞれ任意の位置に配置することができる。このため、燃料電池ユニット１２と給湯器ユニット１４とを架台で一体化して位置決めする場合と比較して、配置の自由度が向上するとともに、設置場所への搬入が容易となる。
【００６８】
そして、燃料電池ユニット１２は、設置されたスペースを構成する通路９０の長さ方向Ｎに燃料電池側メンテナンス面１２ｂが設けられている。このため、通路９０の長さ方向Ｎから燃料電池ユニット１２の燃料電池側メンテナンス面１２ｂにアクセスすることで、燃料電池ユニット１２のメンテナンスが可能となる。
【００６９】
また、給湯器ユニット１４は、設置される通路９０の長さ方向Ｎと交差する交差方向Ｋに給湯器側メンテナンス面１８ｃが設けられている。このため、この交差方向Ｋから給湯器ユニット１４の給湯器側メンテナンス面１８ｃにアクセスすることで、給湯器ユニット１４のメンテナンスが可能となる。
【００７０】
したがって、配置の自由度を確保しつつ、メンテナンス性の向上を図ることができる。
【００７１】
また、燃料電池ユニット１２の燃料電池側メンテナンス面１２ｂは、幅広部９０ｄに設置された給湯器ユニット１４側に設けられており、給湯器ユニット１４側から燃料電池ユニット１２の燃料電池側メンテナンス面１２ｂにアクセスすることができる。
【００７２】
このため、燃料電池側メンテナンス面１２ｂへのアクセス方向と、給湯器側メンテナンス面１８ｃへのアクセス方向とが異なる方向に設定された場合と比較して、燃料電池ユニット１２及び給湯器ユニット１４のメンテナンス作業性が向上する。
【００７３】
そして、給湯器ユニット１４は、排気口１９が給湯器側メンテナンス面１８ｃに設けられている。このため、給湯器ユニット１４内部のメンテナンスと排気口１９のメンテナンスとを同方向から行うことができ、利便性が向上する。また、メンテナンス空間と排気空間とを共用できるので、給湯器側メンテナンス面１８ｃが設けられた一側面側にメンテナンス空間を設けるとともに排気口１９が設けられた他側面側に排気空間を設けなければならない場合と比較して、配置の自由度が高まる。
【００７４】
なお、本実施形態では、燃料電池ユニット１２の燃料電池側メンテナンス面１２ｂが給湯器ユニット１４側に位置するように燃料電池ユニット１２を配置したが、これに限定されるものではない。燃料電池ユニット１２は、燃料電池側メンテナンス面１２ｂが通路９０の長さ方向Ｎに位置するように配置すればよい。
【００７５】
（第二実施形態）
図５は、本実施形態を示す図であり、第一実施形態と同一又は同等部分については、同符号を付して説明を割愛するとともに、異なる部分についてのみ説明する。
【００７６】
すなわち、本実施形態においては、燃料電池側メンテナンス面１２ｂが通路９０の長さ方向Ｎの一方Ｉ側に位置するように燃料電池ユニット１２が配置されており、燃料電池側メンテナンス面１２ｂは給湯器ユニット１４と反対側に位置している。これにより、燃料電池側メンテナンス面１２ｂに設けられた排気口１３からの排気方向ＨＨ１が長さ方向Ｎの一方Ｉ側とされている。
【００７７】
このような場合であっても、通路９０の一方Ｉ側から給湯器ユニット１４の燃料電池側メンテナンス面１２ｂにアクセスしてメンテナンスを行うことができる。これにより、第一実施形態と同様の作用効果を奏することができる。
【００７８】
なお、各実施形態では、各配管等を燃料電池ユニット１２と建物１１０との間に配索した場合にいて説明したが、これに限定されるものではない。例えば、燃料電池ユニット１２と建物１１０の反対側の通路に配索したり、燃料電池ユニット１２の下部空間に配索したり、燃料電池ユニット１２の下部の地中に配索してもよい。
【符号の説明】
【００７９】
１０    燃料電池システム
１２    燃料電池ユニット
１２ｂ  燃料電池側メンテナンス面
１４    給湯器ユニット
１８ｃ  給湯器側メンテナンス面
２４    ガス管
６４    給水管
７８    出湯管
９０    通路
９０ａ  一側縁
１１０  建物
Ｉ      一方
Ｋ      交差方向
Ｔ      他方
Ｎ      長さ方向
【図１】
2018181590.tif 000003
【図２】
2018181590.tif 000004
【図３】
2018181590.tif 000005
【図４】
2018181590.tif 000006
【図５】
2018181590.tif 000007
【手続補正書】
【提出日】平成29年6月20日(2017.6.20)
【手続補正１】
【補正対象書類名】明細書
【補正対象項目名】０００８
【補正方法】変更
【補正の内容】
【０００８】
第一態様では、建物に沿った長さ方向に延在するスペースに設置され、発電を行う燃料電池モジュールを内部に備えるとともに、保守点検を行う際にその一部または全部が開放され内部のメンテナンスが行われるメンテナンス面が前記長さ方向の端部に位置するように配置された燃料電池ユニットと、該燃料電池ユニットに配管を介して接続され、メンテナンスが行われるメンテナンス面が前記長さ方向と交差する交差方向に位置するとともに前記燃料電池ユニットに対して前記長さ方向に離れて配置された給湯器ユニットと、を備えている。
【手続補正２】
【補正対象書類名】特許請求の範囲
【補正対象項目名】全文
【補正方法】変更
【補正の内容】
【特許請求の範囲】
【請求項１】
建物に沿った長さ方向に延在するスペースに設置され、発電を行う燃料電池モジュールを内部に備えるとともに、保守点検を行う際にその一部または全部が開放され内部のメンテナンスが行われるメンテナンス面が前記長さ方向の端部に位置するように配置された燃料電池ユニットと、
該燃料電池ユニットに配管を介して接続され、メンテナンスが行われるメンテナンス面が前記長さ方向と交差する交差方向に位置するとともに前記燃料電池ユニットに対して前記長さ方向に離れて配置された給湯器ユニットと、
を備えた燃料電池システムの配置構造。
【請求項２】
前記燃料電池ユニットは、メンテナンス面が前記給湯器ユニット側に位置するように配置されている請求項１記載の燃料電池システムの配置構造。
【請求項３】
前記燃料電池ユニットは、メンテナンス面が前記給湯器ユニットと反対側に位置するように配置されている請求項１記載の燃料電池システムの配置構造。
【請求項４】
前記給湯器ユニットは、排気用の排気部がメンテナンス面に設けられている請求項１から請求項３のいずれかに記載の燃料電池システムの配置構造。
【手続補正書】
【提出日】平成29年9月7日(2017.9.7)
【手続補正１】
【補正対象書類名】明細書
【補正対象項目名】０００８
【補正方法】変更
【補正の内容】
【０００８】
第一態様では、建物に沿った長さ方向に延在するスペースに設置され、発電を行う燃料電池モジュールを内部に備えるとともに、保守点検を行う際にその一部または全部が開放され内部のメンテナンスが行われるメンテナンス面が前記長さ方向の端部に位置するように配置された燃料電池ユニットと、該燃料電池ユニットに配管を介して接続され、メンテナンスが行われるメンテナンス面が前記長さ方向と交差する交差方向に位置するとともに前記燃料電池ユニットに対して前記長さ方向に離れて配置された給湯器ユニットと、を備え、前記燃料電池ユニットは、前記給湯器ユニットと接続される配管が延出する配管部がメンテナンス面に設けられ、当該メンテナンス面が前記給湯器ユニット側に位置するように配置されている。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
また、燃料電池ユニットのメンテナンス面は、給湯器ユニット側に設けられており、給湯器ユニット側から燃料電池ユニットのメンテナンス面にアクセスすることができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
第二態様では、前記給湯器ユニットは、排気用の排気部がメンテナンス面に設けられている。
【手続補正７】
【補正対象書類名】明細書
【補正対象項目名】００１９
【補正方法】変更
【補正の内容】
【００１９】
【図１】本発明の第一実施形態に係る燃料電池システムの配置構造が適用される燃料電池システムを示す斜視図である。
【図２】同実施形態の燃料電池システムを示すブロック図である。
【図３】同実施形態の燃料電池システムの配置構造を示す平面図である。
【図４】図３のＡ矢視図である。
【図５】第二実施形態に係る燃料電池システムの配置構造を示す平面図である。
【手続補正８】
【補正対象書類名】特許請求の範囲
【補正対象項目名】全文
【補正方法】変更
【補正の内容】
【特許請求の範囲】
【請求項１】
建物に沿った長さ方向に延在するスペースに設置され、発電を行う燃料電池モジュールを内部に備えるとともに、保守点検を行う際にその一部または全部が開放され内部のメンテナンスが行われるメンテナンス面が前記長さ方向の端部に位置するように配置された燃料電池ユニットと、
該燃料電池ユニットに配管を介して接続され、メンテナンスが行われるメンテナンス面が前記長さ方向と交差する交差方向に位置するとともに前記燃料電池ユニットに対して前記長さ方向に離れて配置された給湯器ユニットと、
を備え、
前記燃料電池ユニットは、前記給湯器ユニットと接続される配管が延出する配管部がメンテナンス面に設けられ、当該メンテナンス面が前記給湯器ユニット側に位置するように配置されている燃料電池システムの配置構造。
【請求項２】
前記給湯器ユニットは、排気用の排気部がメンテナンス面に設けられている請求項１に記載の燃料電池システムの配置構造。